(57)【要約】【課題】隣り合う鋼管矢板同士を繋ぐ継手内を好適にモルタル充填することを可能にする鋼管矢板井筒基礎の施工方法を提供する。【解決手段】隣り合う鋼管矢板１の継手２同士を嵌合させつつ複数の鋼管矢板１を水底Ｇ１の地盤Ｇに打設し、閉鎖形状に組み合わせてなる鋼管矢板井筒基礎の施工方法において、複数の鋼管矢板１を打設した地盤Ｇの洗掘状態を探査し、洗掘が予測される地盤領域を先行改良する対策と、洗掘が生じている領域の洗掘凹部Ｍに、洗掘によって露出した継手２を被覆するようにグラウト漏洩防止材４を配設する対策の少なくとも一方の対策を講じる。【選択図】図２
2019007132.tif 000002
【特許請求の範囲】
【請求項１】
隣り合う鋼管矢板の継手同士を嵌合させつつ複数の鋼管矢板を水底の地盤に打設し、閉鎖形状に組み合わせてなる鋼管矢板井筒基礎の施工方法において、
前記複数の鋼管矢板を打設した地盤の洗掘状態を探査し、洗掘が予測される地盤領域を先行改良する対策と、洗掘が生じている領域の洗掘凹部に、洗掘によって露出した前記継手を被覆するようにグラウト漏洩防止材を配設する対策の少なくとも一方の対策を講じることを特徴とする鋼管矢板井筒基礎の施工方法。
【請求項２】
請求項１記載の鋼管矢板井筒基礎の施工方法において、
前記グラウト漏洩防止材が箱体または袋体の内部に充填材を充填して構成され、該グラウト漏洩防止材を前記洗掘凹部に複数積み上げて配設することを特徴とする鋼管矢板井筒基礎の施工方法。
【発明の詳細な説明】
【技術分野】
【０００１】
本発明は、鋼管矢板井筒基礎の施工方法に関する。
【背景技術】
【０００２】
従来、河川や海上における大型橋梁の基礎形式として鋼管矢板井筒基礎が多用される（例えば、特許文献１、特許文献２参照）。
【０００３】
この鋼管矢板井筒基礎を施工する際には、鋼管矢板を打設し、継手内の土砂洗浄とモルタル充填を行い、底盤コンクリート打設、井筒内排水を行う。そして、水面下で仮締切りとして機能する鋼管矢板井筒の内部でドライ環境を確保しながら躯体を構築する。
【０００４】
また、隣り合う鋼管矢板同士を繋ぐ継手内のモルタル充填時には、地盤面より上はグラウトジャケットを用いるのに対し、地盤面より下は地盤を型枠代わりとして充填を行うようにしている。
【先行技術文献】
【特許文献】
【０００５】
【特許文献１】特開２００１−２１４４５７号公報
【特許文献２】特開昭５５−１１４７１５号公報
【発明の概要】
【発明が解決しようとする課題】
【０００６】
しかしながら、図３（ａ）、図３（ｂ）、図３（ｃ）に示すように、隣り合う鋼管矢板１同士を繋ぐ継手２内のモルタル充填時に鋼管矢板１の外側の地盤Ｇが洗掘（洗掘凹部Ｍ）されている場合がある。
【０００７】
そして、この場合には、地盤Ｇによって洗掘凹部Ｍの継手２が覆われていないために継手２の内部に注入したグラウトＰが継手２の隙間から漏えいし、継手２内にモルタル未充填箇所ができてしまう。また、継手２にモルタル未充填箇所ができると、継手２による鋼管矢板１の一体化が不充分になったり、井筒内排水時に未充填箇所から漏水が発生し、排水が困難になるおそれがある。
【０００８】
上記事情に鑑み、本発明は、隣り合う鋼管矢板同士を繋ぐ継手内を好適にモルタル充填することを可能にする鋼管矢板井筒基礎の施工方法を提供することを目的とする。
【課題を解決するための手段】
【０００９】
上記の目的を達するために、この発明は以下の手段を提供している。
【００１０】
本発明の鋼管矢板井筒基礎の施工方法は、隣り合う鋼管矢板の継手同士を嵌合させつつ複数の鋼管矢板を水底の地盤に打設し、閉鎖形状に組み合わせてなる鋼管矢板井筒基礎の施工方法において、前記複数の鋼管矢板を打設した地盤の洗掘状態を探査し、洗掘が予測される地盤領域を先行改良する対策と、洗掘が生じている領域の洗掘凹部に、洗掘によって露出した前記鋼管矢板を被覆するようにグラウト漏洩防止材を配設する対策の少なくとも一方の対策を講じることを特徴とする。
【００１１】
また、本発明の鋼管矢板井筒基礎の施工方法おいては、前記グラウト漏洩防止材が箱体または袋体の内部に充填材を充填して構成され、該グラウト漏洩防止材を前記洗掘凹部に複数積み上げて配設することが望ましい。
【発明の効果】
【００１２】
本発明の鋼管矢板井筒基礎の施工方法においては、継手内部へのモルタル充填前に外周地盤の状況を超音波探査などで確認し、洗掘の大きさに応じて対策を鋼管矢板の打設が完了した箇所から随時対策を行うことで、工程への遅延を抑えることができる。
【００１３】
また、モルタルの充填性の確保だけでなく、洗掘防止対策にも効果があるため、設計地盤面の確保ができる。
【００１４】
よって、本発明の鋼管矢板井筒基礎の施工方法によれば、隣り合う鋼管矢板同士を繋ぐ継手内を好適にモルタル充填することが可能になり、好適に鋼管矢板井筒基礎を構築することが可能になる。
【図面の簡単な説明】
【００１５】
【図１】本発明の一実施形態に鋼管矢板井筒基礎の施工方法を示す図である。
【図２】本発明の一実施形態に鋼管矢板井筒基礎の施工方法を示す図である。
【図３】（ａ）は鋼管矢板井筒基礎を示す平面図であり、（ｂ）は鋼管矢板井筒基礎を示す縦断面であるとともに、洗掘が生じた部分の継手からグラウト材が漏洩した状態を示す図であり、（ｃ）は（ａ）のＳ部を拡大した図であり、洗掘が生じた部分の継手からグラウト材が漏洩した状態を示す図である。
【発明を実施するための形態】
【００１６】
以下、図１及び図２（図３）を参照し、本発明の一実施形態に係る鋼管矢板井筒基礎の施工方法について説明する。
【００１７】
本実施形態は、図１（及び図３）に示すように、河川や海上における大型橋梁の基礎などとして用いられ、隣り合う鋼管矢板１の継手２同士を嵌合させつつ複数の鋼管矢板１を水底の地Ｇ盤に打設し、閉鎖形状に組み合わせてなる鋼管矢板井筒基礎Ａの施工方法に関するものである。
【００１８】
本実施形態の鋼管矢板井筒基礎Ａの施工方法は、まず、水中地盤Ｇに打設するとともに環状の空間を形成するように連続的に複数の鋼管矢板１を並設する。このとき、継手２を嵌合させ、隣り合う鋼管矢板１同士を接続しながら複数の鋼管矢板１を設置する。
【００１９】
さらに、隣り合う鋼管矢板１同士を接続する継手２内を洗浄して土砂等を除去するとともに、継手２内にモルタル（グラウト材Ｐ）を充填し、水密性を確保する。このとき、地盤面（水底面）Ｇ１より上方の継手部分はグラウトジャケットを用いて漏洩を防止しながらその内部にモルタルを充填し、地盤面Ｇ１より下方の継手部分は地盤Ｇを型枠代わりとしてモルタルを充填する。
【００２０】
次に、複数の鋼管矢板１を並設して形成された内部空間の底部に水中コンクリートを打設して底盤コンクリートを構築するとともに、井筒内の水を排水する。
【００２１】
そして、水面下で仮締切りとして機能する鋼管矢板井筒の内部でドライ環境を確保しながら躯体を構築する。
【００２２】
一方、鋼管矢板井筒基礎Ａの周囲地盤Ｇに洗掘が生じてしまうと、型枠代わりとなる地盤Ｇがなくなるため、継手２内にモルタルを充填した際に漏洩するおそれがある。なお、地盤Ｇに洗掘が生じた部分はグラウトジャケットを用いてモルタル充填することも考えられるが、洗掘が局所的に生じたり、急に生じることもあり、グラウトジャケットに変更して対応できないケースが多々ある。
【００２３】
これに対し、本実施形態の鋼管矢板井筒基礎Ａの施工方法では、図１に示すように、洗掘が予想される地盤Ｇを薬液注入工法、高圧噴射工法等によって先行改良し、地盤改良部３を型枠代わりとする対策と、図２に示すように、地盤Ｇの洗掘凹部Ｍに、洗掘によって露出した鋼管矢板１の継手２を被覆するようにグラウト漏洩防止材４を設置し、これを型枠代わりとする対策を選択的に用いる。
【００２４】
また、グラウト漏洩防止材４を設置し、これを型枠代わりとする対策では、グラウト漏洩防止材４を、箱体または袋体（例えば、トンパックやフィルターユニットなど）の内部に充填材を充填して構成し、このグラウト漏洩防止材４を洗掘凹部Ｍに複数積み上げて配設することが好ましい。
【００２５】
このとき、本実施形態では、鋼管矢板打設終了後に外周地盤Ｇの洗掘状況を超音波探査等で探査／確認し、洗掘が小さい場合に、洗掘を防止するために外周に地盤改良を行う。
既に洗掘が大きい場合には、漏えい防止として地盤Ｇの代わりとなるトンパック等のグラウト漏洩防止材４を設置する。
【００２６】
したがって、本実施形態の鋼管矢板井筒基礎Ａの施工方法においては、モルタル充填前に外周地盤Ｇの状況を超音波探査などで探査／確認し、洗掘の大きさに応じて対策を鋼管矢板１の打設が完了した箇所から、随時対策を行うことで、工程への遅延を抑えることができる。
【００２７】
また、モルタルの充填性の確保だけでなく、洗掘防止対策にも効果があるため、設計地盤面の確保ができる。
【００２８】
よって、本実施形態の鋼管矢板井筒基礎Ａの施工方法によれば、隣り合う鋼管矢板１同士を繋ぐ継手２内を好適にモルタル充填することが可能になる。
【００２９】
以上、本発明に係る鋼管矢板井筒基礎の施工方法の一実施形態について説明したが、本発明は上記の一実施形態に限定されるものではなく、その趣旨を逸脱しない範囲で適宜変更可能である。
【符号の説明】
【００３０】
１    鋼管矢板
２    継手
３    地盤改良部
４    グラウト漏洩防止材
Ａ    鋼管矢板井筒基礎
Ｇ    地盤
Ｇ１  水底
Ｍ    洗掘凹部
Ｐ    モルタル（グラウト材）
【図１】
2019007132.tif 000003
【図２】
2019007132.tif 000004
【図３】
2019007132.tif 000005